(57)【特許請求の範囲】
【請求項１】
時計用のハンマー機構であって、一端が旋回軸線周りに旋回可能に支持され、該旋回軸線から離れた他端に打撃ハンマー（２）を有する打撃レバー（１）を備え、該打撃ハンマー（２）により弾性的な発音要素が打撃可能であり、前記打撃レバー（１）は、ばね力に抗しながら、前記発音要素により近い基本位置から、前記発音要素に対してより離れた緊張位置まで旋回駆動された後、前記ばね力により、前記緊張位置から、前記基本位置を経由して、前記打撃ハンマー（２）が前記発音要素を打撃する打撃位置に向けて旋回可能であるハンマー機構において、前記打撃レバー（１）が、前記発音要素の弾性によって前記打撃位置から抑止位置まで跳ね返ることが可能であるとともに、前記発音要素に対して離間した前記打撃ハンマー（２）の前記抑止位置において、前記打撃位置に向けて復帰できないよう、抑止手段により前記抑止位置にて形状係合的に抑止可能であることを特徴とするハンマー機構。
【請求項２】
請求項１に記載のハンマー機構であって、前記発音要素が、ゴング（８）であることを特徴とするハンマー機構。
【請求項３】
請求項１又は２に記載のハンマー機構であって、前記打撃レバー（１）の前記抑止位置が、前記打撃レバー（１）の前記基本位置であることを特徴とするハンマー機構。
【請求項４】
請求項１〜３の何れか一項に記載のハンマー機構であって、前記打撃レバー（１）が第１係合要素（14）を備え、該第１係合要素（14）が第２係合要素（17）に係合可能であり、該第２係合要素（17）により前記打撃レバー（１）が、前記打撃位置に向けて復帰できないよう、前記抑止位置にて形状係合的に抑止可能であることを特徴とするハンマー機構。
【請求項５】
請求項４に記載のハンマー機構であって、前記第２係合要素（17）が、ばね力により前記第１係合要素（14）に向けて負荷されることを特徴とするハンマー機構。
【請求項６】
請求項４又は５に記載のハンマー機構であって、前記第２係合要素（17）が、前記緊張位置に向けての前記打撃レバー（１）の旋回に伴って前記第１係合要素（14）から分離可能であることを特徴とするハンマー機構。
【請求項７】
請求項６に記載のハンマー機構であって、前記第２係合要素（17）が、前記第１係合要素（14）に対する分離位置にてロック要素（20）によりロック可能であり、そのロック状態は、前記打撃位置に前記打撃レバー（１）が旋回したときに解除可能であることを特徴とするハンマー機構。
【請求項８】
請求項７に記載のハンマー機構であって、前記打撃レバー（１）が、該打撃レバー（１）の旋回軸線領域に堅固に配置され、かつ該旋回軸線周りに円弧状の外周輪郭（13）を有する抑止ディスク（12）を備え、該外周輪郭（13）が、前記旋回軸線方向に形成され、かつ前記第１係合要素（14）として機能する係合輪郭部で終止し、前記ハンマー機構が備える係合レバー（15）が、前記外周輪郭（13）に向けて半径方向に旋回可能であり、前記外周輪郭（13）に対してばね負荷され、更には前記第２係合要素（17）を有し、前記第２係合要素（17）が、前記打撃位置から前記抑止位置に向けて前記打撃レバー（１）が旋回したときに、前記抑止ディスク（12）の前記外周輪郭（13）に沿って摺動し、前記打撃レバー（１）が前記抑止位置に到達した後に前記第１係合要素（14）に係合することを特徴とするハンマー機構。
【請求項９】
請求項８に記載のハンマー機構であって、前記抑止ディスク（12）の前記外周輪郭（13）が、前記打撃レバー（１）の前記旋回軸線と同心状に延びていることを特徴とするハンマー機構。
【請求項１０】
請求項８又は９に記載のハンマー機構であって、前記係合レバー（15）が、ロック突出部（25）を有し、該ロック突出部（25）が、前記ロック要素（20）により係合可能であると共に、前記第２係合要素（17）及び前記第１係合要素（14）の前記分離位置にてロック可能であり、前記ロック要素（20）が、前記打撃レバー（１）の前記打撃位置にて前記ロック突出部（25）から分離可能であることを特徴とするハンマー機構。
【請求項１１】
請求項１０に記載のハンマー機構であって、前記抑止ディスク（12）が、前記外周輪郭（13）から半径方向に突出するノーズ部（22）を有し、該ノーズ部（22）により、前記ロック要素（20）を有するロックレバー（18）がばね力に抗して旋回可能に負荷され、これにより前記ロック要素（20）が、前記ロック突出部（25）から分離可能であることを特徴とするハンマー機構。
【請求項１２】
請求項８に記載のハンマー機構であって、前記打撃レバー（１）が、該打撃レバー（１）の前記旋回軸線と平行に延びている連行ピン（６）を備え、該連行ピン（６）により、前記打撃レバー（１）が前記緊張位置に向けて旋回したときに、前記係合レバー（15）がばね力に抗して旋回可能であると共に、前記第２係合要素（17）が前記第１係合要素（14）から分離可能であることを特徴とするハンマー機構。
【請求項１３】
請求項１２に記載のハンマー機構であって、前記連行ピン（６）が、作動部（７）の作動アーム（10）により、前記打撃レバー（１）の前記旋回軸線と平行な軸線周りに負荷可能であり、これにより前記打撃レバー（１）が、前記基本位置から前記緊張位置に向けて旋回可能であることを特徴とするハンマー機構。
【発明の詳細な説明】
【技術分野】
【０００１】
本発明は、時計用のハンマー機構に関する。本発明を適用するハンマー機構は、一端が旋回軸線周りに旋回可能に支持され、この旋回軸線から離れた他端に打撃ハンマーを有する打撃レバーを備える。この場合、打撃ハンマーにより弾性的な発音要素が打撃可能であり、また打撃レバーは、ばね力に抗しながら、発音要素により近い基本位置から、発音要素に対してより離れた緊張位置まで旋回駆動された後、ばね力により、緊張位置から基本位置を経由して、打撃ハンマーが発音要素を打撃する打撃位置に向けて旋回可能である。
【背景技術】
【０００２】
このようなハンマー機構においては、打撃ハンマーが弾性的な発音要素、特にゴングを打撃後に、発音要素の弾性に起因して跳ね返りを生じ、従って発音要素に向けて再加速するという問題がある。この問題により、発音要素に不所望な再打撃が加えられるため、一度目の打撃による音響が減衰されると共に清澄さが損なわれる。この問題を回避するために、ばね要素のばね力を調整することにより、打撃レバーを打撃位置から基本位置に負荷し、再打撃を回避可能とすることが既知である。しかしながらこの場合、打撃レバーをより大きな力で負荷し、発音要素を打撃ハンマーで打撃する必要がある。なぜなら、打撃レバーの負荷に際しては、ばね要素におけるより大きなばね力も超過しなければならないからである。その結果、所要スペースが拡大するのみならず、打撃レバーを減速させる必要性から、打撃ハンマーによる発音要素への打撃にとって望ましくない影響が生じる。
【発明の概要】
【発明が解決しようとする課題】
【０００３】
従って、本発明の課題は、構成の簡略化及び小型化が図れ、更には打撃ハンマーによる不所望な再打撃を回避可能とする、冒頭に述べた形式のハンマー機構を提供することである。
【課題を解決するための手段】
【０００４】
この課題は、本発明によれば、打撃レバーが、打撃位置から、発音要素に対して離間した打撃ハンマーの抑止位置に旋回したときに、打撃位置に向けて復帰できないよう、抑止手段により抑止位置にて形状係合的に抑止可能である構成とすることにより解決される。
【０００５】
この構成であれば、打撃行程の終盤で打撃ハンマーを減速させる必要がないため、発音要素を打撃するまで打撃ハンマーが加速される。これにより、打撃レバーを負荷するばね力をより小さくすることができるため、省スペース化を図ることが可能となる。
【０００６】
弾性的な発音要素を打撃した後に跳ね返りを生じる打撃レバーは、抑止位置にて形状係合的に抑止されるため、打撃ハンマーによる発音要素への不所望な再打撃が確実に回避される。これにより、一度目の打撃による音響が損なわれることがなく、音響における清澄さが維持される。
【０００７】
発音要素は、省スペース化を図るためにゴングとして構成することができる。
【０００８】
打撃レバーの抑止位置が打撃レバーの基本位置であれば、構成が簡略化される。
【０００９】
打撃レバーを抑止位置にて抑止するために、簡略化された構成においては、打撃レバーが第２係合要素に係合可能な第１係合要素を備える。これにより打撃レバーが抑止位置にて形状係合的に抑止可能であり、従って打撃位置に向けて再び旋回できない。
【００１０】
この場合、第２係合要素が第１係合要素に向けてばね負荷しておけば、第２係合要素及び第１係合要素の係合が自立的に生じる。
【００１１】
第２係合要素は、緊張位置に向けての打撃レバーの旋回に伴って第１係合要素から分離可能である。これにより、打撃ハンマーによる発音要素への所望の打撃が再び可能となる。
【００１２】
この場合、第２係合要素は、第１係合要素に対する分離位置にてロック要素によりロック可能であり、そのロック状態は、打撃位置に打撃レバーが旋回したときに解除可能である。
【００１３】
簡略化された構成においては、打撃レバーは、その旋回軸線領域に堅固に配置され、かつ旋回軸線周りに円弧状の外周輪郭を有する抑止ディスクを備える。外周輪郭は、旋回軸線方向に形成され、かつ第１係合要素として機能する係合輪郭部に終止するものとする。ハンマー機構が備える係合レバーは、外周輪郭に向けて半径方向に移動可能であり、外周輪郭に対してばね負荷され、更には第２係合要素を有する。第２係合要素は、打撃位置から抑止位置に向けて打撃レバーが旋回したときに、抑止ディスクの外周輪郭に沿って摺動し、打撃レバーが抑止位置に到達した後に第１係合要素に係合する。
【００１４】
抑止ディスクの外周輪郭は、省スペース化を図るために旋回レバーの旋回軸線と同心状に延びるものとする。
【００１５】
係合レバーは、ロック突出部を有することができる。このロック突出部は、ロック要素により係合可能であると共に、第２係合要素及び第１係合要素の分離位置にてロック可能である。ロック要素は、打撃レバーの打撃位置にてロック突出部から分離可能である。
【００１６】
部品数を減らすために、抑止ディスクは、外周輪郭の半径方向に突出するノーズ部を有する構成とすることができる。このノーズ部により、ロック要素を有するロックレバーがばね力に抗して旋回可能に負荷され、これによりロック要素がロック突出部から分離可能である。
【００１７】
打撃レバーは、その旋回軸線と平行に延びている連行ピンを備えることができる。この連行ピンにより、打撃レバーが緊張位置に旋回したときに、係合レバーがばね力に抗して旋回可能であると共に、第２係合要素が第１係合要素から分離可能である。
【００１８】
この場合、連行ピンが、作動部の作動アームにより、打撃レバーの旋回軸線と平行な軸線周りに負荷可能であり、これにより打撃レバーが基本位置から緊張位置へ旋回可能であれば、連行ピンにより、係合レバーの旋回のみならず、緊張位置への打撃レバーの旋回という二重の機能が発揮される。
【００１９】
以下、図面に基づいて本発明の実施形態を詳述する。
【図面の簡単な説明】
【００２０】
【図１】打撃レバーが基本位置にあるときのハンマー機構の平面図である。
【図２】打撃レバーが緊張位置にあるときの、図１に係るハンマー機構の平面図である。
【図３】図２における領域Ｘの拡大図である。
【図４】打撃レバーが打撃位置にあるときの、図１に係るハンマー機構の平面図である。
【図５】図４における領域Ｙの拡大図である。
【図６】図１に係るハンマー機構における、連行ピン、ハンマー軸及び抑止ディスクで構成されるアセンブリの側面図である。
【図７】図６に係るアセンブリの平面図である。
【発明を実施するための形態】
【００２１】
図面に示すリピーター時計用のハンマー機構は、その一端が、打撃ハンマー２を有する打撃レバー１を備える。ハンマー機構の他端は、ねじ固定部３にてプラトー４に結合されている。プラトー４は、間隔を置きつつねじ固定部３に対して平行で外周可能に支持されたハンマー軸５を有する。このハンマー軸５により、プラトー４が旋回可能に支持され、プラトー４により、打撃レバー１が旋回可能に支持されている。
【００２２】
連行ピン６は、プラトー４のねじ固定部３に対して同軸状に配置され、かつ作動部７により、基本位置（図１参照）から緊張位置（図２及び図３参照）に旋回駆動可能である。作動部７は、例えばリピーター時計におけるリピーター機構のレーキ（図示せず）により、反時計回りに回転駆動可能である。
【００２３】
打撃ハンマー２は、基本位置（図１参照）においては、打撃レバー１及び打撃ハンマー２の旋回平面内に配置されたゴング８に対して小さな間隔を置いて配置され、緊張位置（図２及び図３参照）においては、ゴング８に対して大きな間隔を置いて配置されている。
【００２４】
ねじ固定部３と平行な作動軸線９周りに旋回可能な作動部７は、半径方向作動アーム10を有する。このアーム10により、連行ピン６が負荷可能であると共に、作動部７の旋回時に、打撃レバー１がハンマーばね11（図１に図示せず）の力に抗して基本位置から緊張位置に向けて旋回可能である。
【００２５】
ハンマー軸５上には、同軸状の抑止ディスク12が回転可能に配置されている。ディスク12の外周の一部は、ハンマー軸５に対して同心状の外周輪郭13を有している。この外周輪郭13は、その半径方向内側に形成され、かつ第１係合要素14として機能する係合輪郭部に終止している。
【００２６】
外周輪郭13の接線方向に延びている係合レバー15は、係合レバーばね16により、抑止ディスク12に負荷されている。係合レバーばね16は、係合レバー15と一体的に構成されている。
【００２７】
係合レバー15は、第２係合要素17として機能する係合輪郭部を有する。この係合輪郭部は、抑止ディスク12に対して半径方向に突出し、打撃レバー１の抑止位置（基本位置）においては、第１係合要素14に係合可能である。これにより、打撃ハンマー２がゴング８を打撃する打撃位置に向けて打撃レバー15の旋回が回避される。
【００２８】
ロック突出部25を構成する係合レバー15の突出自由端は、第２係合要素17からハンマー軸５の回転軸線に対してより大きな間隔を有するため、打撃レバー１の基本位置（抑止位置とも称する）において、第２係合要素17が第１係合要素14に係合可能である。
【００２９】
係合レバー15が打撃位置から基本位置まで移動する際には、第２係合要素17が外周輪郭13上で摺動する。
【００３０】
係合レバー15に対しては、ロックレバー18がほぼ直角に延びている。ロックレバー18の一端は、ロック軸線19周りに旋回可能に支持されると共に、抑止ディスク12の外周輪郭13の接線方向に延びている。ロック要素20として機能するロックレバー18の自由端は、打撃レバー１が打撃位置から基本位置に向けて移動するとき、並びに基本位置に位置するとき、端面側が係合レバー15の自由端に接触しており、その際に、外周輪郭及び長手方向側21の間に小さな間隔を生じる。
【００３１】
打撃レバー１が基本位置から緊張位置に向けて更に旋回する際、抑止ディスク12の外周輪郭13から半径方向に突出するノーズ部22がロックレバー18の旋回領域外に移動するため、ノーズ部22によりロックレバー18の長手方向側21が負荷されることがない。同時に、連行ピン６により、係合レバー15が抑止ディスク12から離れるように半径方向に移動するため、第２係合要素17が第１係合要素14から半径方向に分離する。
【００３２】
この緊張位置において、係合レバー15は外方に旋回しているため、ロックレバー18のロック要素20は、係合レバー15の自由端の端面24にもはや当接しておらず、またロックばね23の負荷下にあるロックレバー18は、抑止ディスク12の外周輪郭13に当接するまで自由に旋回することができる（図２参照）。
【００３３】
この場合、ロックレバー18のロック要素20は、係合レバー15の突出自由端（ロック突出部25）の端面24から抑止ディスク12側に旋回して係合レバー15を抑止するため、係合レバー15が外周輪郭13から離間すると共に、第２係合要素17が第１係合要素14から分離した状態が維持される。これにより、打撃レバー１が緊張位置から打撃位置に向けて旋回するときに、第２係合要素17及び第１係合要素14の係合が回避される（図３参照）。
【００３４】
その結果、打撃レバー１が打撃位置に向けて旋回できるため、制約を受けることなく打撃ハンマー２がゴング８を打撃可能である。
【００３５】
打撃レバー１が打撃位置に到達すると、抑止ディスク12のノーズ部22によりロックレバー18が負荷されるため、ロックレバー18が抑止ディスク12の外周輪郭13から離間すると共に、係合レバー15の突出自由端（ロック突出部25）領域に到達する。これにより、第２係合要素17を有する係合レバー15が外周輪郭13に到達かつ当接し、またロック要素20を有するロックレバー18が、係合レバー15の突出自由端（ロック突出部25）の端面24に対向するように配置される。
【００３６】
その後、ゴング８の弾性に基づいて打撃ハンマー２、従って打撃レバー１が跳ね返りを生じて基本位置に復帰する。これにより、第２係合要素17が第１係合要素14領域に到達し、これら要素14，17が互いに係合する（図１参照）。
【００３７】
その結果、係合レバー15が打撃位置に向けて再び旋回することがないため、打撃ハンマー２によりゴング８に不所望な再打撃が加えられることがない。
【符号の説明】
【００３８】
１  打撃レバー
２  打撃ハンマー
３  ねじ固定部
４  プラトー
５  ハンマー軸
６  連行ピン
７  作動部
８  ゴング
９  作動軸線
10  作動アーム
11  ハンマーばね
12  抑止ディスク
13  外周輪郭
14  第１係合要素
15  係合レバー
16  係合レバーばね
17  第２係合要素
18  ロックレバー
19  ロック軸線
20  ロック要素
21  長手方向側
22  ノーズ部
23  ロックばね
24  端面
25  ロック突出部
【図１】
0006357206.tif 000002
【図２】
0006357206.tif 000003
【図３】
0006357206.tif 000004
【図４】
0006357206.tif 000005
【図５】
0006357206.tif 000006
【図６】
0006357206.tif 000007
【図７】
0006357206.tif 000008